(57)【要約】【課題】実質上使用できない機器に対して、パッチ画面で注意を促す表示をすることにより、従来よりもパッチ設定を行いやすい信号処理装置、表示方法及びプログラムを提供する。【解決手段】信号処理装置は、入出力部と、信号処理部と、表示処理部と、を備える。入出力部は、外部の機器から信号を入力する又は信号を外部の機器に出力する。信号処理部は、入出力部から信号を入力して該信号を処理する、又は処理した信号を前記入出力部へ出力する。表示処理部は、前記信号処理部と前記外部の機器との対応関係を示す画面において、前記外部の機器の状態を表示する。【選択図】図４
2019110485.tif 000002
【特許請求の範囲】
【請求項１】
外部の機器から信号を入力する又は外部の機器に信号を出力する入出力部と、
前記入出力部から信号を入力して該信号を処理する、又は処理した信号を前記入出力部へ出力する信号処理部と、
前記信号処理部と前記外部の機器との対応関係を示す画面において、前記外部の機器の状態を表示する表示処理部と、
を備えた、信号処理装置。
【請求項２】
前記外部の機器の状態は、前記外部の機器が有効又は無効であることを示す、
請求項１に記載の信号処理装置。
【請求項３】
前記信号処理部は、複数のチャンネル毎にそれぞれの論理処理部を備え、
前記表示処理部は、前記外部の機器と前記複数のチャンネルのそれぞれの論理処理部との前記対応関係を前記画面に表示する、
請求項１又は２に記載の信号処理装置。
【請求項４】
前記表示処理部は、複数の前記外部の機器の状態を表示する、
請求項１乃至請求項３のいずれか１項に記載の信号処理装置。
【請求項５】
前記信号処理部は、複数の設定を受け付け、
前記表示処理部は、前記複数の設定における優先順位に応じて前記状態を表示する、
請求項３に記載の信号処理装置。
【請求項６】
前記信号はコンテンツ信号である
請求項１乃至請求項５のいずれか１項に記載の信号処理装置。
【請求項７】
外部の機器から信号を入力もしくは外部の機器に出力する入出力部から信号を入力して、
該信号を処理する、又は処理した信号を前記入出力部へ出力して、
前記外部の機器との対応関係を示す画面において、前記外部の機器の状態を表示する、
表示方法。
【請求項８】
外部の機器から信号を入力もしくは外部の機器に出力する入出力部から信号を入力して、
前記信号を処理する、又は処理した信号を前記入出力部へ出力して、
前記外部の機器との対応関係を示す画面において、前記外部の機器の状態を表示する処理をコンピュータに実行させる、
プログラム。
【発明の詳細な説明】
【技術分野】
【０００１】
この発明は、信号処理装置、表示方法及びプログラムに関する。
【背景技術】
【０００２】
ミキサは、パッチグリッド画面を表示し、パッチ設定を受け付ける。パッチ設定は、複数の機器と、チャンネルと、の割り当ての設定である。
【０００３】
特許文献１には、入力論理チャンネル設定部において、カスケード入力端子から入力された音声信号が、入力パッチ部を介して入力信号処理部に供給されることにより、通常の入力チャンネルの音声信号としてミキシング処理をしていることが開示されている。特許文献２には、複数のポートを利用可能であり、オーディオ信号に信号処理を施す処理チャンネルを備え、ポート使用に関する制約を減らして使い勝手を向上するミキサシステムが開示されている。
【先行技術文献】
【特許文献】
【０００４】
【特許文献１】特開２００９−１８２９８２号公報
【特許文献２】特開２０１５−７０５５０号公報
【発明の概要】
【発明が解決しようとする課題】
【０００５】
ミキサは、一つのポートに対して、同時に複数の設定がされる場合がある。例えば、入力ポートと出力ポートとを割り当てるPort to Portのようなパッチ設定と、出力チャンネルと出力ポートとを割り当てるOutputパッチ設定と、がある。Port to Portのようなパッチ設定は、Outputパッチ設定より優先される。従って、Outputパッチ設定を行っても、Outputパッチ設定は無効となる。また、ミキサと音響機器との間又は音響機器自体に何らかの不具合がある場合、音響機器に係るポートに対するパッチ設定をすることは可能ではあるが、設定通りの出力がされないおそれがある。このため、ユーザは、ミキサ及び該ミキサに関連する音響機器全体の状態を把握した上でパッチ設定をすることは困難であった。
【０００６】
そこで、上位設定がなされている機器、又は不具合等を抱える機器等の実質上使用できない機器がある場合でも、パッチ設定を行いやすくした信号処理装置、表示方法、及びプログラムを提供することを目的とする。
【課題を解決するための手段】
【０００７】
信号処理装置は、入出力部と、信号処理部と、表示処理部と、を備える。入出力部は、外部の機器から信号を入力する又は信号を外部の機器に出力する。信号処理部は、入出力部から信号を入力して該信号を処理する、又は処理した信号を前記入出力部へ出力する。表示処理部は、前記信号処理部と前記外部の機器との対応関係を示す画面において、前記外部の機器の状態を表示する。
【発明の効果】
【０００８】
本発明によれば、実質上使用できない機器に対して、パッチ画面で注意を促す表示をすることにより、ユーザは従来よりもパッチ設定を行いやすくなる。
【図面の簡単な説明】
【０００９】
【図１】ミキサを含むオーディオシステムの構成を示すブロック図である。
【図２】ミキサの構成を示すブロック図である。
【図３】信号処理部、オーディオＩ／Ｏ、及びＣＰＵで行われる信号処理の機能的なブロック図である。
【図４】図４（Ａ）は、異常がない場合の入力パッチグリッド画面の例を示す図であり、図４（Ｂ）は、異常がある場合の入力パッチグリッド画面の例を示す図である。
【図５】図５（Ａ）及び図５（Ｂ）は、異常がある場合の入力パッチグリッド画面の表示例を示す図である。
【図６】図６（Ａ）は、上位のパッチ設定がされている場合の出力パッチグリッド画面の例を示す図であり、図６（Ｂ）は、上位の出力パッチグリッド画面の例を示す図である。
【図７】パッチ設定が二段階である場合の信号処理装置の構成を説明するためのブロック図である。
【図８】図８（Ａ）は、信号処理装置のネットワーク構成の第１例を、図８（Ｂ）及び図８（Ｃ）は、信号処理装置のネットワーク構成の第２例を示す図である。
【図９】図９（Ａ）及び図９（Ｂ）は、図８（Ｂ）に示す第２例において、異常がある場合の出力パッチグリッド画面の表示例を示す図である。
【図１０】信号処理装置の動作を示すフローチャートである。
【図１１】オーバービュー画面における表示例を示す図である。
【図１２】変形例のネットワークシステムにおいて異常がある場合の出力パッチグリッド画面の表示例を示す図である。
【発明を実施するための形態】
【００１０】
図１は、ミキサを含むオーディオシステムの構成を示すブロック図である。オーディオシステムは、ミキサ１１、複数のマイク２１〜２６、レシーバ２１１、レシーバ２１２及び複数のスピーカ２２１〜２２６を備えている。ミキサ１１は、信号処理装置１の一例である。マイク２１はレシーバ２１１を介して、マイク２２はレシーバ２１２を介して、それぞれミキサ１１に接続されている。複数のマイク２１〜２６、及び複数のスピーカ２２１〜２２６は、それぞれミキサ１１を介して互いに接続されている。
【００１１】
図２は、ミキサ１１の構成を示すブロック図である。ミキサ１１は、表示処理部２０１、操作部２０２、オーディオＩ／Ｏ２０３、信号処理部２０４、ネットワークインタフェース（Ｉ／Ｆ）２０５、ＣＰＵ２０６、フラッシュメモリ２０７、ＲＡＭ２０８、及び表示器２０９を備える。信号処理部２０４は、機能的に論理処理部２１０を備える。これらの構成は、バス１７１を介して接続されている。また、オーディオＩ／Ｏ２０３及び信号処理部２０４は、デジタルオーディオ信号を伝送するための波形バス１７２にも接続されている。なお、オーディオＩ／Ｏ２０３は、本発明における「入出力部」の一例である。また、ネットワークインタフェース（Ｉ／Ｆ）２０５も、本発明における「入出力部」の一例である。
【００１２】
オーディオＩ／Ｏ２０３は、信号処理部２０４で処理すべきオーディオ信号の入力を受け付けるためのインタフェースである。オーディオＩ／Ｏ２０３には、オーディオ信号の入力を受け付ける不図示のアナログ入力ポート又はデジタル入力ポート等が設けられている。また、オーディオＩ／Ｏ２０３は、信号処理部２０４で処理された後のオーディオ信号を出力するためのインタフェースである。オーディオＩ／Ｏ２０３には、オーディオ信号を出力する不図示のアナログ出力ポート又はデジタル出力ポート等が設けられている。なお、オーディオ信号は、本発明における「コンテンツ信号」の一例である。また、本発明に係るコンテンツ信号は、音情報以外に画像のコンテンツ信号、又はその他の情報も含む。
【００１３】
オーディオＩ／Ｏ２０３は、それぞれ、種々の外部機器を接続し、入出力を行う。例えば、オーディオＩ／Ｏ２０３は、複数のマイク２３〜２６、及び複数のスピーカ２２１〜２２６をミキサ１１に接続する。すなわち、オーディオＩ／Ｏ２０３には、不図示の入力ポートを介して外部の複数のマイク２１〜２６が接続されている。オーディオＩ／Ｏ２０３には、不図示の出力ポートを介して複数のスピーカ２２１〜２２６が接続されている。
【００１４】
マイク２１及びマイク２２は、それぞれレシーバ２１１又はレシーバ２１２を介してミキサ１１に接続されている。オーディオＩ／Ｏ２０３は、ネットワークＩ／Ｆ２０５を介してレシーバ２１１又はレシーバ２１２からオーディオ信号を入力する。
【００１５】
操作部２０２は、ユーザからミキサ１１に対する操作を受け付ける。操作部２０２は、種々のキー、ボタン、ロータリーエンコーダ、又はスライダ等によって構成される。また、操作部２０２は、表示器２０９であるＬＣＤに積層したタッチパネルによって構成される場合もある。
【００１６】
ＣＰＵ２０６は、ミキサ１１の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、ネットワークＩ／Ｆ２０５を介して外部から受信した種々のコマンドに基づいて、オーディオＩ／Ｏ２０３におけるオーディオ信号の入出力、信号処理部２０４におけるミキシング処理、エフェクト処理の制御、又はパラメータの設定値の変更、等を行う。また、ＣＰＵ２０６は、ネットワークＩ／Ｆ２０５を介して外部から受信した種々の信号に基づいて、外部の機器、すなわち複数のマイク２１〜２６、又は複数のスピーカ２２１〜２２６等の状態を判断することもできる。例えば、マイク２１とレシーバ２１１との間の通信が切断した場合、ミキサ１１はレシーバ２１１からマイク２１が切断した旨の情報を受信する。ＣＰＵ２０６は、レシーバから受信した情報を基に、マイク２１とレシーバ２１１との間の通信が切断したと判断することができる。
【００１７】
信号処理部２０４は、ミキシング処理又はエフェクト処理等の各種信号処理を行なうための複数のＤＳＰから構成される。信号処理部２０４は、オーディオＩ／Ｏ２０３、及び波形バス１７２を介して供給されるオーディオ信号に、ミキシング又はイコライジング等のエフェクト処理を施す。信号処理部２０４は、信号処理後のデジタルオーディオ信号を、波形バス１７２、及びオーディオＩ／Ｏ２０３を介して外部に出力する。
【００１８】
表示器２０９は、例えばＬＣＤ（Liquid CrystＡl DisplＡy）からなり、種々の情報を表示する。操作部２０２は、マウス又はキーボード等からなり、ユーザの操作を受け付ける。なお、表示器２０９は、必ずしも信号処理装置１に配置される必要はない。例えば、ミキサ１１の外部に接続されたパーソナルコンピュータの画面や、ミキサ１１と通信可能なタブレット等通信機器の画面等に設定することができる。
【００１９】
操作部２０２は、表示器２０９とともに、ＧＵＩ（GrＡphicＡl User InterfＡce）を構成する。例えば、ＣＰＵ２０６は、表示器２０９にユーザの操作を受け付けるための操作部２０２の画像を表示させる。ＣＰＵ２０６は、操作部２０２に表示された画像に対する選択操作等を受け付けることで、ＧＵＩを実現する。ＧＵＩについては、後でさらに詳細に説明する。
【００２０】
図３は、信号処理部２０４、オーディオＩ／Ｏ２０３、及びＣＰＵ２０６で行われる信号処理の機能的なブロック図である。図３に示すように、信号処理は、機能的に、入力パッチ３１、入力チャンネル３２、バス３３、出力チャンネル３４、及び出力パッチ３５によって行なわれる。入力チャンネル３２、バス３３、及び出力チャンネル３４は、論理処理部２１０の一例である。なお、図３では、説明の便宜上、レシーバ２１１及びレシーバ２１２は省略されている。
【００２１】
入力パッチ３１は、オーディオＩ／Ｏ２０３における複数の入力ポート（例えばアナログ入力ポート又はデジタル入力ポート）からオーディオ信号を入力して、複数のポートのうちいずれか１つのポートを、複数チャンネル（例えば３２ｃｈ）の少なくとも１つのチャンネルに割り当てる。これにより、ミキサ１１は、オーディオ信号を入力チャンネル３２の各チャンネルに供給する。すなわち、入力パッチ３１は、オーディオＩ／Ｏ２０３を介して複数のマイク２１〜２６からオーディオ信号を供給する。入力チャンネル３２は、入力パッチ３１により設定されたマイクに対応付けられる。
【００２２】
入力チャンネル３２の各チャンネルは、入力パッチ３１から供給されたオーディオ信号に対して、アッテネータ（ＡＴＴ）、イコライザ（ＥＱ）、ゲート（ＧＡＴＥ）、又はコンプレッサ（ＣＯＭＰ）等の信号処理を施す。信号処理後のオーディオ信号は、レベル調整された後に、後段のバス３３に送出される。
【００２３】
バス３３は、入力チャンネル３２から供給されるオーディオ信号をミキシングして、出力チャンネル３４へ出力する。出力チャンネル３４の各チャンネルは、入力されるオーディオ信号に対して、イコライザ、又はコンプレッサ等の処理を施す。出力チャンネル３４は、出力パッチ３５により選択された出力ポートに対応付けられる。
【００２４】
出力チャンネル３４は、例えば１６チャンネルを有する。出力チャンネル３４の各チャンネルは、信号処理後のオーディオ信号を出力パッチ３５へ送出する。出力パッチ３５は、各チャンネルを、アナログ出力ポート又はデジタル出力ポートにおける複数のポートのうちいずれか１つのポートに割り当てる。出力パッチ３５は、信号処理を施された後のオーディオ信号を、オーディオＩ／Ｏ２０３に供給する。
【００２５】
これにより、出力パッチ３５は、出力チャンネル３４で処理されたオーディオ信号を、対応するスピーカに供給する。このように、ミキサ１１は、所定のマイクから入力されたオーディオ信号に、所定の信号処理を施し、所定のスピーカへ出力する。表示処理部２０１は、それぞれの機器とチャンネルとの割り当てを表示器２０９へ表示する。なお、本実施形態においては、「コンテンツ信号」として音の信号を処理しているが、「コンテンツ信号」が例えば映像の信号を処理する場合、ビデオカメラなどから信号が入力される。
【００２６】
以下、入力パッチ３１又は出力パッチ３５におけるパッチ設定について説明する。
【００２７】
図４（Ａ）は、異常がない場合の入力パッチグリッド画面の例を示す図であり、図４（Ｂ）は、異常がある場合の入力パッチグリッド画面の例を示す図である。図４（Ａ）において、縦は３２個の入力チャンネル（第１チャンネル〜第３２チャンネル）を示し、横はポート（第１ポート〜第６ポート）を示す。なお、図４（Ａ）及び図４（Ｂ）においては、説明の便宜上、第１チャンネル〜第６チャンネルのみを示す。
【００２８】
入力パッチグリッドは、表示器２０９に表示されるＧＵＩの一例である。ユーザは、入力パッチグリッドにおいて、各チャンネルと各ポートとを対応付けすることができる。例えば、図４（Ａ）に示すように、第１ポートが第１チャンネルに、第２ポートが第２チャンネルに、第３ポートが第３チャンネルに、それぞれ対応付けられている。第１ポートには、マイク２１が接続されているため、第１チャンネルにマイク２１が対応する。以下、本実施形態において、マイク２２が第２ポートに接続されているため、第２チャンネルにマイク２２が対応し、マイク２３が第３ポートに接続されているため、第３チャンネルにマイク２３が対応している。また、予備としてマイク２４及びマイク２５が設置されていてもよい。この場合、マイク２４が第４ポートに接続されているため、第４チャンネルにマイク２４が対応し、マイク２５が第５ポートに接続されているため、第５チャンネルにマイク２５が対応している。
【００２９】
図４（Ｂ）に示すように、表示処理部２０１は、入力パッチグリッドにおいて、第１ポート〜第６ポートのそれぞれの状態を表示する。例えば、マイク２１及びマイク２２が、電源が入っていない等の異常がある状態である場合、ミキサ１１は、マイク２１及びマイク２２に接続されているレシーバ２１１又はレシーバ２１２から、マイク２１及びマイク２２が切断されている旨を示す情報を受信する。ＣＰＵ２０６は、レシーバ２１１又はレシーバ２１２から受信した情報を基に、マイク２１及びマイク２２が切断され、第１ポート及び第２ポートが利用できない状態であると判断する。表示処理部２０１は、入力パッチグリッドの第１ポート及び第２ポートを示す区画を他の区画とは異なった色で表示する。
【００３０】
これにより、ユーザはパッチの設定時に、第１ポート及び第２ポートを設定対象としても利用できないことが認識できる。この場合、第１ポート、第２ポート、及び第３ポートにそれぞれ第１チャンネル、第２チャンネル、及び第３チャンネルが対応付けられている。しかしながらこの場合、有効な、すなわち使用可能な状態であるポートは、第３ポートのみである。なお、無効な状態とは、使用できない状態であることを示す。
【００３１】
例えば、マイク２１及びマイク２２と同じ場所にマイク２４及びマイク２５を予備として設置してある場合、ユーザは、第１ポート及び第２ポートを利用するマイク２１及びマイク２２の代わりに、異なった色で表示されていない第４ポート及び第５ポートを利用できることが直感的に解るため、従来よりもパッチ設定を行いやすくなる。このように、ユーザは、表示された装置全体の状態を把握した上で、パッチ画面で設定を行うことができる。
【００３２】
図５（Ａ）及び図５（Ｂ）は、異常がある場合の入力パッチグリッド画面の表示例を示す図である。図５（Ａ）に示すように、例えば第１マイク、及び第２マイクがそれぞれ異なった異常状態である場合、表示処理部２０１はそれぞれの異常状態に応じた色で表示してもよい。すなわち、異常状態に応じて異なった表示態様としてもよい。
【００３３】
例えば、マイク２１とレシーバ２１１との間の電波が弱い場合、表示処理部２０１は第１ポートを示す区画を黄色で表示する。一方、マイク２２の電源が入っていない場合、表示処理部２０１は第２ポートを示す区画を赤色で表示する。これにより、ユーザは、ミキサ１１の周辺機器において、それぞれが異なった原因によって使用できない状態であることを認識できる。従って、ユーザは設定時にそれぞれの原因に応じた対応をすることができるため、従来よりもパッチ設定を行いやすくなる。
【００３４】
さらに、ユーザが異常状態を通知する色で表示された区画を選択した場合、表示処理部２０１は異常状態を通知する詳細な情報を示してもよい。例えば、図５（Ａ）に示すように、入力パッチグリッド画面において、ユーザが異常状態を示す区画にカーソルを合わせると、図５（Ｂ）に示すように、表示処理部２０１は詳細な情報を提示する。第２マイクの電源が入っていない場合、表示処理部２０１は、例えば「マイク２２  電源が入っておりません」というポップアップウィンドウを表示する。
【００３５】
なお、表示処理部２０１が行う詳細な情報の提供は、ポップアップウィンドウ等の表示に限られず、音声などでユーザに通知してもよい。これにより、ユーザは、ミキサ１１の周辺機器における異常状態の詳細な情報を把握できる。さらに、ミキサ１１の周辺機器における異常状態は、上に挙げた例に限定されることなく、その他、例えば、電波の状態が不安定である場合、又はバッテリーが不足しているために切断る可能性がある場合等が挙げられる。
【００３６】
図６（Ａ）は、上位のパッチ設定がされている場合の出力パッチグリッド画面の例を示す図であり、図６（Ｂ）は、上位の出力パッチグリッド画面の例を示す図である。例えば、ミキサ１１は、同じ出力ポートに対して同時に複数の設定をする場合がある。表示処理部２０１は、設定毎に対応する画面をレイヤで表示する。
【００３７】
例えば、図６（Ｂ）に示すようなPort to Portのようなパッチ設定と図６（Ａ）に示すようなOutputパッチ設定が同時にされる場合を想定する。図６（Ｂ）に示すように、Port to Portのようなパッチ設定は、入力ポートと出力ポートとを対応付ける。
【００３８】
Port to Portのようなパッチ設定は、Outputパッチ設定より優先される。言い換えると、ユーザが設定する際、Port to Portのようなパッチ設定は、Outputパッチ設定より優先順位が高い。このため、ユーザは、Port to Port設定により設定されている第１出力ポート、第２出力ポート、及び第３出力ポートには重複して、バス（例えば、ＭＩＸバス）から信号を出力出来ない。この場合、図６（Ａ）に示すように、Outputの出力パッチグリッド画面において、表示処理部２０１は、使用できない第１出力ポート、第２出力ポート、及び第３出力ポートを示す区画を青色で表示する。これにより、ユーザは、ミキサ１１のパッチ設定時に、第１出力ポート、第２出力ポート、及び第３出力ポートが利用できないことを認識できる。従って、ユーザはレイヤ毎にそれぞれのポートが利用可能な状態にあるか否かを確認しながらパッチ設定をすることができるため、従来よりもパッチ設定を行いやすくなる。
【００３９】
次に、パッチ設定が多段階である場合の実施形態について説明する。図７は、パッチ設定が二段階である場合の信号処理装置の構成を説明するためのブロック図である。図７においては、ミキサの一部など省略して示している。
【００４０】
図７に示すように、レシーバ７２は、入力パッチ７１、出力パッチ７３、及び信号処理部７４を有する。すなわち、パッチ設定はミキサ１１だけでなく、レシーバ７２の入力パッチ７１及び出力パッチ７３においても行われる。レシーバ７２には、複数のマイク２１〜２６が接続される。
【００４１】
例えば、異常状態としてマイク２１とレシーバ７２との間が切断された場合、ミキサ１１からはレシーバ７２と適切に接続されていても、マイク２１は使用できない。ミキサ１１は、マイク２１とレシーバ７２との間が切断されている情報をレシーバ７２から受信する。ＣＰＵ２０６は、レシーバ７２から受信した情報を基に、マイク２１が使用できないと判断する。表示処理部２０１は、入力パッチグリッドの第１ポートを示す区画を他の区画とは異なった色で表示する。これにより、ユーザはマイク２１が利用できないことを認識できる。なお、信号処理装置は、パッチ設定が二段階である場合に限られず、三段階以上の場合も適応できる。
【００４２】
図８（Ａ）は、信号処理装置のネットワーク構成の第１例を、図８（Ｂ）及び図８（Ｃ）は、信号処理装置のネットワーク構成の第２例を示す図である。図９（Ａ）及び図９（Ｂ）は、図８（Ａ）又は図８（Ｂ）に示す例において、異常がある場合の出力パッチグリッド画面の表示例を示す図である。図８（Ａ）及び図８（Ｂ）においては、説明上必要な構成のみを示し、他は省略する。
【００４３】
図８（Ａ）に示すように、第１例に係るネットワーク構成８０は、スイッチングハブ８８、ミキサ１１、スピーカ８２、スピーカ８３、及びスピーカ８４を備える。
【００４４】
スイッチングハブ８８は、ミキサ１１、スピーカ８２、スピーカ８３、及びスピーカ８４とそれぞれ物理的に複数のＬＡＮケーブルで互いに接続されている。なお、図９（Ａ）及び図９（Ｂ）において、第１ポートにはスピーカ８２が接続され、第２ポートにはスピーカ８３が接続され、第３ポートにはスピーカ８４が接続されている。
【００４５】
ミキサ１１において、表示処理部２０１は、二本のＬＡＮケーブルのうち少なくともいずれか一本が故障したときに表示器２０９に異常が有る旨を表示する。
【００４６】
例えば、図９（Ａ）に示すように、スイッチングハブ８８とスピーカ８２との間の二本のＬＡＮケーブルのうちプライマリのメインケーブルが切断している場合、表示処理部２０１は、第１ポートのプライマリのメインケーブルに対応する個所を示す区画を青色で表示する。
【００４７】
また、スイッチングハブ８８とスピーカ８３との間の二本のＬＡＮケーブルのうちセカンダリのサブケーブルが切断している場合、表示処理部２０１は、第１ポートのセカンダリのサブケーブルに対応する個所を示す区画を青色で表示する。
【００４８】
また、スイッチングハブ８８とスピーカ８４との間の二本のＬＡＮケーブルの両方のケーブルが切断している場合、表示処理部２０１は、第１ポートの両方のＬＡＮケーブルに対応する個所を示す区画を青色で表示する。
【００４９】
これにより、スイッチングハブ８８とスピーカ８２、スピーカ８３又はスピーカ８４との間の二本のＬＡＮケーブルのうち少なくともいずれか一本に故障が生じて接続されていない場合、表示器２０９に表示されるため、ユーザは故障個所を容易に判断できる。
【００５０】
図８（Ｂ）に示すように、第２例に係るネットワーク構成８１は、ミキサ１１、スピーカ８２、スピーカ８３、及びスピーカ８４を備える。ネットワーク構成８１において、ネットワーク構成８０と同様の構成については、説明を省略する。
【００５１】
ミキサ１１、スピーカ８２、スピーカ８３、及びスピーカ８４は、それぞれネットワーク（ＬＡＮ）ケーブルを介して数珠つなぎに接続されている。それぞれの機器は、ミキサ１１と、スピーカ８２、スピーカ８３、及びスピーカ８４との間で、双方向に信号を送受信することで通信する。すなわち、この例においては、図８（Ｃ）に示すように、論理的に２本の通信レーン（レーンＡ及びレーンＢ）を有する。各機器は、レーンＡ及びレーンＢにアサインすることにより、他の機器と通信する。ここで、各機器は、レーンＡ及びレーンＢのいずれか一方又は双方でアサインできない場合がある。
【００５２】
例えば、図９（Ａ）に示すように、スピーカ８２がレーンＡにおいてアサインできない場合、表示処理部２０１は、第１ポートのレーンＡに対応する個所を示す区画を青色で表示する。スピーカ８３がレーンＢにおいてアサインできない場合、表示処理部２０１は、第２ポートのレーンＢに対応する個所を示す区画を青色で表示する。また、スピーカ８４がレーンＡ及びレーンＢの双方においてアサインできない場合、表示処理部２０１は、第３ポートのレーンＡ及びレーンＢの双方に対応する個所を示す区画を青色で表示する。
【００５３】
これにより、スピーカ８２、スピーカ８３又はスピーカ８４がレーンＡ又はレーンＢの少なくともいずれか一方においてアサインできない場合、表示器２０９に表示されるため、ユーザは使用できない個所を容易に判断できる。
【００５４】
なお、音源の処理を行う不図示の信号処理部と、レーンＡ又はレーンＢ毎に設けられている場合であっても同様に表示器２０９に表示することができる。この場合、図９（Ｂ）に示すＭＩＸ１の音源は、レーンＡ又はレーンＢ毎に設けられている各信号処理部で生成される。ここで、レーンＡの信号処理部がレーンＡにＭＩＸ１の音源を流すと設定され、レーンＢの信号処理部がレーンＢにＭＩＸ１の音源を流すと設定されていない場合がある。このとき、ＭＩＸ１の音源はレーンＡから取得してスピーカから流すことができるが、ＭＩＸ１の音源はレーンＢから取得することができない。表示処理部２０１は、レーンＢに対応するバスを示す区画を青色で表示する。また、同様に、ＭＩＸ２の音源はレーンＢから取得してスピーカから流すことができるが、ＭＩＸ２の音源はレーンＡから取得することができない場合、表示処理部２０１は、レーンＡに対応するバスを示す区画を青色で表示する。さらにＭＩＸ３の音源はレーンＡ及びレーンＢのいずれからも取得できない場合、表示処理部２０１は、レーンＡ及びレーンＢに対応するバスを示す区画を青色で表示する。これにより、ユーザは設定中に使用できないバスを容易に判断できる。
【００５５】
以下、信号処理装置１における表示方法について説明する。図１０は、信号処理装置の動作を示すフローチャートである。
【００５６】
ユーザがチャンネル設定をする操作において、まず、表示処理部２０１は、ミキサ１１の表示器２０９にパッチグリッド画面を表示する（Ｓ１１）。ユーザは、パッチグリッド画面でパッチ設定を行う。ＣＰＵ２０６は、外部の機器の状態を判断する。例えば、ＣＰＵ２０６はミキサ１１に接続されている複数のマイク２１〜２６、及び複数のスピーカ２２１〜２２６について、それぞれ順に有効であるか否かを判断する（Ｓ１２）。ＣＰＵ２０６は、全ての外部の機器が有効であると判断した場合（Ｓ１２：Ｙｅｓ）、パッチグリッド画面の表示を維持する（Ｓ１３）。ＣＰＵ２０６は、全ての外部の機器が有効でないと判断した場合（Ｓ１２：Ｎｏ）、パッチグリッド画面の表示を変更する。すなわち、表示処理部２０１は、異常が認められた外部の機器に対応するパッチグリッド画面の箇所の色を変更する（Ｓ１４）。これにより、ユーザは、パッチグリッド画面でパッチ設定を行いながら、外部の機器に異常が有るか否かを認識できる。従って、ユーザは、設定できる外部の機器が直感的に解るため、従来よりもパッチ設定を行いやすくなる。
【００５７】
なお、信号処理装置はミキサ以外の他の装置にも対応可能である。例えば、ＤＶＤレコーダ等の音声以外に映像を再生するものにも適応できる。
【００５８】
なお、表示処理部２０１による外部の機器の状態の表示は、パッチグリッド画面上における色の変化以外にも採用されうる。例えば、点滅表示やマークの表示等が挙げられる。これらによっても、同様にユーザは、パッチグリッド画面でパッチ設定を行いながら、外部の機器に異常が有るか否かを認識できる。
【００５９】
なお、表示処理部２０１による外部の機器の状態の表示は、パッチグリッド画面以外にオーバービュー画面であってもよい。図１１は、オーバービュー画面における表示例を示す図である。
【００６０】
図１１に示されている画面は、オーバービュー画面であり、４つの入力チャンネルについて、チャンネル毎にプラグインエフェクタ４０の配置指示をユーザから受け付けるためのプラグイン配置画面である。チャンネル設定部６０は、ユーザからプラグインエフェクタ４０の配置指示を受け付ける領域である。この例では、チャンネル毎に、４つの仮想スロットに対応する、４つのスロット操作部６１が設けられている。仮想スロットにそれぞれプラグインエフェクタ４０を配置する指示を行うことで、プラグインエフェクタ４０を所望の信号処理ブロックに接続することができる。
【００６１】
図１１に示されている画面上において、ユーザは、４つのスロット操作部６１のいずれか１つをタッチする。ＣＰＵ２０６は、タッチされたスロット操作部６１に配置可能なプラグインエフェクタ４０を示す選択メニューをオーバービュー画面に表示させる。ユーザは、表示されたプラグインエフェクタ４０の中から所望のプラグインエフェクタ４０を選択して、該当のスロット操作部６１にプラグインエフェクタ４０を配置する操作を行う。これにより、図２に示したＣＰＵ２０６は、仮想スロットへの、プラグインエフェクタ４０の配置の指示を出す。
【００６２】
このとき、外部の機器のひとつであるギターとミキサ１１との間で通信が不通である場合、表示処理部２０１は、オーバービュー画面においてギターを示す区画を黄色く表示する。これにより、ユーザはギターに異常があることを認識できる。これによっても、実施形態と同様に、使用できない外部の機器を把握することができる。
【００６３】
なお、信号処理装置はミキサに限られず、その他の機器においても適用できる。例えば、信号処理装置をルータに適用した変形例が挙げられる。図１２は、ルータを含むネットワークシステムにおいて異常がある場合のＩＰアドレスの割り当て画面の表示例を示す図である。図１２に示すように、ルータは、ルータと接続されたパーソナルコンピュータ等の外部機器のＭＡＣアドレスと、ＩＰアドレスとを対応付けることができる。ユーザは、ＩＰアドレスの割り当て画面を見ることにより、ネットワークシステムにおいて所定のＭＡＣアドレスに対応する外部機器にＩＰアドレスを設定しても使用できないことを把握することができる。
【００６４】
本実施形態の説明は、すべての点で例示であって、制限的なものではない。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００６５】
１…信号処理装置
１１…ミキサ
２１，２２，２３，２４，２５，２６…マイク（外部の機器）
２０１…表示処理部
２０２…操作部
２０３…オーディオＩ／Ｏ（入出力部）
２０４…信号処理部
２０９…表示器
２１０…論理処理部
２２１，２２２，２２３，２２４，２２５，２２６…スピーカ（外部の機器）
【図１】
2019110485.tif 000003
【図２】
2019110485.tif 000004
【図３】
2019110485.tif 000005
【図４】
2019110485.tif 000006
【図５】
2019110485.tif 000007
【図６】
2019110485.tif 000008
【図７】
2019110485.tif 000009
【図８】
2019110485.tif 000010
【図９】
2019110485.tif 000011
【図１０】
2019110485.tif 000012
【図１１】
2019110485.tif 000013
【図１２】
2019110485.tif 000014